【事件の表示】
　特願２０１０−２７２４７６「組み合わせ先端部用ラック」拒絶査定不服審判事件〔平成２３年　６月２３日出願公開、特開２０１１−１２３０６５、請求項の数（９）〕について、次のとおり審決する。
【結　論】
　原査定を取り消す。
　本願の発明は、特許すべきものとする。
【理　由】
第１　手続の経緯　
　本願は、平成２２年１２月７日（パリ条約による優先権主張　２００９年１２月１０日　欧州特許庁（ＥＰ））の出願であって、平成２６年４月２８日付けで拒絶理由が通知され、これに対して、同年１０月２３日に意見書及び手続補正書が提出され、平成２７年３月１６日付けで拒絶査定（以下、「原査定」という。）がなされた。
　これに対して、同年７月８日に拒絶査定不服審判の請求がなされ、同時に手続補正書が提出され、当審において平成２８年４月１９日付けで拒絶理由（以下、「当審拒絶理由」という。）が通知され、これに対して、同年９月１日に意見書及び手続補正書が提出された。
第２　本願発明
　本願の請求項１〜９に係る発明は、平成２８年９月１日付けの手続補正で補正された特許請求の範囲の請求項１〜９に記載された事項により特定されるものと認められるところ、本願の請求項１に係る発明（以下、「本願発明」という。）は以下のとおりである。
「　　【請求項１】
　少なくとも、複数の第１形式のピペット先端部と、複数の第２形式のピペット先端部とを収容する複数のチャンバを具備する複数のピペット先端部を保持するラックであって、前記第２形式のピペット先端部が、前記第１形式のピペット先端部よりも短寸であり且つ第１形式のピペット先端部により分注されるよりも少量の液体を分注するために用いられるラックにおいて、
　前記チャンバは、個々のピペット先端部が個別のチャンバに収容されるように独立し、１つの列の中に前記第１形式のピペット先端部及び前記第２形式のピペット先端部が交互配置され、当該ラック内に複数の前記列が配置され、
　前記第１形式の複数のピペット先端部の夫々に対する貫通ボア孔及び前記第２形式の複数のピペット先端部の夫々に対する貫通ボア孔を具備し、該貫通ボア孔が前記チャンバと連通し、
　ピペット先端部を着座させる着座領域が前記各貫通ボア孔の周辺に設けられ、
　前記第２形式のピペット先端部を着座させる前記着座領域は、前記第１形式のピペット先端部を着座させる前記着座領域と比較して高位とされることを特徴とするラック。」
第３　原査定の理由について
１　原査定の理由の概要
　本願発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
　　　　　　　　　　　　　　　　　記
引用文献１：特開平１１−３２６３４０号公報
引用文献２：特開２００１−３３０６１７号公報
引用文献３：米国特許出願公開第２００７／００２０１５１号明細書
周知文献８：実願昭６２−０５０２０４号（実開昭６３−１５７２４３号）のマイクロフィルム
　複数の第１形式の試験管と、複数の第２形式の試験管とを収容する複数のチャンバを具備する複数の試験管を保持するラックであって、前記第２形式の試験管が、前記第１形式の試験管よりも短寸であり且つ第１形式の試験管が収容されるよりも少量の液体を収容するために用いられるラックにおいて、前記チャンバが独立し、前記第１形式の試験管及び第２形式の試験管が、当該ラック内に交互配置的な列にて格納されるラックは、例えば、周知文献８に記載されているように周知の技術である。
　そして、実験分析技術において、ピペットも試験管もラックによって支持されて用いられているので、複数の第１形式のピペット先端部と、複数の第２形式のピペット先端部とを収容する複数のチャンバを具備する複数のピペット先端部を保持するピペット用ラック（引用文献１〜３）において、上記周知技術を考慮し、第１形式のピペット先端部及び第２形式のピペット先端部が、ラック内に交互配置的な列にて格納される構成とすることは、当業者が適宜設計し得る程度のことである。
　したがって、本願発明は、引用文献１〜３に記載された発明及び周知文献８に記載された周知技術より、当業者が容易に想到し得たものである。
２　原査定の理由の判断
（１）引用文献の記載事項及び引用文献に記載された発明
ア　引用文献１の記載事項
　引用文献１には、次の事項が記載されている（下線は、参考のために当審が付与した。）。
（ア）「【０００１】
【発明が属する技術分野】本発明は、生化学研究又は臨床診断等の分野において用いられる自動処理装置に搭載するサンプル処理ユニットに関する。」
（イ）「【００１５】図１中（ａ）は、ノズルの配置を上方からの透視図として示した図であり、（ｂ）は正面図で、両ノズルがそれぞれ１列に、
合計２列に並んでいる
サンプリング用及び液体吸引廃棄用ノズル
アームヘッド
異なる寸法・形状のディスポーザブルチップを配置する場合
ノズルチップを載置
チップラックの形状・寸法を勘案し、各ノズルが反応容器やチップラックと干渉しないように寸法・形状を決定することが重要である
【００１６】サンプリング用ノズルは、不図示のシリンジやポンプ等に接続されており、ここで発生した圧力により所定量の液体を吸引し吐出する。一方液体吸引廃棄用ノズルは、不図示のポンプ等にいわゆるトラップボトルを介して接続され、ポンプ等により発生された負圧により液体を吸引しトラップボトルに廃棄する。なお本例は一例であり、両ノズルに接続されるサンプリング又は液体吸引廃棄用の他の手段はこれに限定されない。
【００１７】ノズルが搭載されている移動手段のアームヘッド３は、モーターやスライドガイド等の不図示の移動手段によりＸ方向（水平左右方向）・Ｙ方向（水平前後方向）・Ｚ方向（鉛直上下方向）に移動可能な状態で自動処理装置等に搭載される。移動手段は通常の構成を使用することが可能であり、特に制限はない。特に両ノズルをＺ方向、即ち鉛直上下方向にのみ移動すれば良い場合には、移動手段として簡便な手段を採用することができる。例えば反応容器等、液体をサンプリングしたり廃棄されるべき液体を保持する容器をＸ・Ｙ方向、即ち水平面上で前後・左右に自由に移動する手段を有する自動処理装置に本発明の処理ユニットを搭載する場合等である。
【００１８】図２及び３は、図１に示したに処理ユニットを用いて液体のサンプリングを行う際の作業を示す図である。図２（ｂ）の向かって
右側のサンプリング用ノズル２を用いる場合は、チップラック
に載置されたノズルチップを左側から順次装着
する
【００１９】（ｂ）の斜線を付して示した８本のサンプリング用ノズル２を、（ｃ）のように目的のノズルチップ列（左端から第２列目のチップ）の上方まで移動するか、或いはチップラックをノズル下方まで移動し、この状態でノズルを下降するかチップラックを上昇させて
目的列のノズルチップをサンプリング用ノズル２に装着する
【００２０】図２（ｄ）は、上述のようにしてチップを装着した後のノズルチップの様子を示す図であり、左から第２列まで空となっている。
【００２１】図３は、（ｂ）の向かって
左側の液体吸引廃棄用ノズル１を用いて液体の吸引廃棄を行う場合
チップラックの向かって右端からノズルチップを順次装着
目的列のノズルチップを液体吸引廃棄用ノズル１に装着する
【００２２】図３（ｄ）は、上述のようにしてチップを装着した後のノズルチップの様子を示す図であり、右から第２列まで空となっている。
【００２３】上述の例において、サンプリング作業及び液体吸引廃棄作業は、不図示のマイクロチップ等に作業手順を記憶させておき、該チップの指示で不図示の移動手段を制御して作業毎にチップラックの左側又は右側のいずれの側からチップを取得するかを決定し、更には作業回数を記憶させておいたり、或いはチップラック上のチップの存否を検出するセンサー等を配置しておき、各端から任意の列目のチップを装着するかを自動的に決定して行うこともできる。
【００２４】本発明の処理ユニットにおいては、上述の例とは異なり、サンプリング用及び／又は液体吸引排気用ノズルを２列以上にすることも可能である。この場合、移動手段のアームヘッド上に両ノズルを混在させるのではなく、両者を分けて各ノズル別に列に配置すれば、上述の例と同様の作業を行うことが可能である。」
（ウ）図１には以下の図面が示されている。
（エ）図２には以下の図面が示されている。
（オ）図３には以下の図面が示されている。
イ　引用文献１に記載された発明の認定
　上記（１）ア（ア）に記載の「
チップラック
ノズルチップを載置する
「ノズルチップを載置するチップラックであって、
　サンプリング用及び液体吸引廃棄用ノズルが合計２列に並んでいるアームヘッドを用い、
　異なる寸法・形状のディスポーザブルチップを配置する場合、ノズルチップを載置するチップラックの形状・寸法を勘案し、各ノズルが反応容器やチップラックと干渉しないように寸法・形状を決定することが重要であるものであり、
　右側のサンプリング用ノズル２を用いる場合は、チップラックに載置されたノズルチップを左側から順次装着することで、目的列のノズルチップをサンプリング用ノズル２に装着し、
　左側の液体吸引廃棄用ノズル１を用いて液体の吸引廃棄を行う場合は、チップラックの向かって右端からノズルチップを順次装着することで、目的列のノズルチップを液体吸引廃棄用ノズル１に装着するように構成された、
　チップラック。」
ウ　引用文献２の記載事項
　引用文献２には、次の事項が記載されている（下線は、参考のために当審が付与した。）。
（ア）「【０００１】
【発明の属する技術分野】本発明は、自動分注装置に関し、特に使い捨て（ディスポーザブル）の
ノズルチップを自動的に装着して分注を行う自動分注装置に関する
（イ）「【００１６】ノズル基部２４は、ノズルチップ１００又は１１０に嵌合される部位であり、吸引・吐出機構（図示省略）に繋がっている。
【００１７】ノズルチップ１００及び１１０は、チップラック２００に立設保持される。チップラック２００は、自動分注装置の基台４０上の所定の位置に設置される。
チップラック
大サイズのノズルチップ
用の収容孔と小サイズのノズルチップ用の収容孔を有して
これら大小の収容孔は、決まった配列関係で設けられて
（ウ）図１には以下の図面が示されている。
エ　引用文献２に記載された発明の認定
　上記ウ（ア）〜（ウ）を含む引用文献２の記載を総合すると、引用文献２には、次の発明（以下、「引用発明２」という。）が記載されていると認められる。
「ノズルチップを自動的に装着して分注を行う自動分注装置に関するチップラックであって、
　大サイズのノズルチップ用の収容孔と小サイズのノズルチップ用の収容孔を有しており、これら大小の収容孔は、決まった配列関係で設けられている、
　チップラック。」
オ　引用文献３の記載事項
　引用文献３には、次の事項が記載されている（下線は、参考のために当審が付与した。）。
（ア）「[0001] This invention relates generally to pipette tip holders, and more particularly to pipette tip holders or boxes for use with automated pipette machines. 」
（当審訳）
「[0001] 本発明は、一般に、ピペットチップホルダに係り、特に自動化ピペット機械と共に使用するためのピペットチップホルダまたはボックスに関するものである。」
（イ）「[0030] Referring to FIG. 1, there is illustrated in an exploded view a pipette tip holder or pipette tip box 10 in accordance with an embodiment of the present invention. 
Pipette tip box
 comprises a container 12 and a tip support member such as lid member 14
（当審訳）
「[0030] 図1を参照すると、そこには本発明の一実施形態によるピペットチップホルダまたはピペットチップボックス10の分解図が示されている。
ピペットチップボックス
容器12と蓋部材14のようなチップ支持部材で構成され、
（ウ）「[0032] 
Within a lower two-thirds of container 12 is provided a central vertical divider 32 that extends between side walls 21 and 22 and joins with bottom 18, to divide the lower portion of cavity 24
 into two sections which may be of unequal size
These two sections are further divided by vertical dividers 33, 34, and 35
 that extend between central divider 32 and side walls 23 and 20 respectively, and join with bottom 18
The dividers 32, 33, 34 and 35 divide the lower portion of cavity 24 into separate compartments 36, 37, 38, 39 and 40
[0033] The dividers 32, 33, 34 and 35 may be sealingly connected to the container 12, such that 
the compartments are sealed along their sides and bottom thereby forming reservoirs 36, 37, 38, 39 and 40
（当審訳）
「[0032] 
容器12の下側の3分の2には、側壁21及び22との間に延び、底部18と接合され、キャビティ24の下部
を、異なる大きさであってもよいように2つに分割する、中心垂直分離手段32が設けられて
これらの2の部分は、それぞれ、中央仕切り32と側壁23及び20との間に延在し、底部18に合流する垂直分離手段33、34、35
で分割されて
分離手段32、33、34、35は、キャビティ24の下部を別個の区画36、37、38、39、40に分割する
[0033] 分離手段32、33、34、35は、容器12にシール状態で接続され、
区画は、それらの側部及び底部に沿って密封することによりリザーバ36、37、38、39、40が形成されるようになって
（エ）「[0036] Within the second cavity of
 lid member 14
top member 50
 [0037] Referring to FIG. 12, 
top member 50 defines apertures such as holes 80, 81, 82, 83 and 84
The holes
to suspend the main portion of the tip within the tip box 10
holes 80 and 81 and corresponding compartment-reservoir combinations 75-36 and 76-37 are sized to accommodate a larger pipette tip, such as a 5 mL tip; whereas, holes 82, 83 and 84 and corresponding compartment-reservoir combinations 77-38, 78-39 and 79-40 are sized to accommodate a smaller pipette tip, such as a 1 mL tip
（当審訳）
「[0036] 
蓋部材14
上部部材50
[0037] 図12を参照すると、
上部部材50
孔80、81、82、83及び84のような開口を画定
孔は
チップボックス10内でチップの要部を係止する
孔80及び81とそれに対応する区画リザーバの組み合わせ75-36と76-37は、5mlチップのようなより大きなチップを収容するために寸法決めされており、一方、孔82、83及び84とその区画リザーバの組み合わせ77-38、78-39及び79-40は、1mlチップのようなより小さいチップを収容するために寸法決めされている
（オ）図１には、以下の図面が示されている。
（カ）図７には、以下の図面が示されている。
（キ）図１２には、以下の図面が示されている。
カ　引用文献３に記載された発明の認定
　上記オ（ア）〜（キ）を含む引用文献３の記載を総合すると、引用文献３には、次の発明（以下、「引用発明３」という。）が記載されていると認められる。
「ピペットチップボックスであって、
　容器12と蓋部材14のようなチップ支持部材で構成され、
　容器12の下側の3分の2には、側壁21及び22との間に延び、底部18と接合され、キャビティ24の下部を、異なる大きさであってもよいように2つに分割する、中心垂直分離手段32が設けられており、これらの2つの部分は、それぞれ、中心分離手段32と側壁23及び20との間に延在し、底部18に合流する垂直分離手段33、34、35で分割されており、分離手段32、33、34、35は、キャビティ24の下部を別個の区画36、37、38、39、40に分割するものであり、区画は、それらの側部及び底部に沿って密封することによりリザーバ36、37、38、39、40が形成されており、
　蓋部材14は、孔80、81、82、83及び84のような開口を画定する上部部材50を含み、孔は、チップボックス10内でチップの要部を係止するものであり、
　孔80及び81とそれに対応する区画リザーバの組み合わせ75-36と76-37は、5mlチップのようなより大きなチップを収容するために寸法決めされており、一方、孔82、83及び84とその区画リザーバの組み合わせ77-38、78-39及び79-40は、1mlチップのようなより小さいチップを収容するために寸法決めされている、
　ピペットチップボックス。」
（２）本願発明と引用発明１との対比・判断
ア　対比
　本願発明と引用発明１とを対比する。
（ア）　引用発明１の「サンプリング用ノズル」が「装着」する「ノズルチップ」、及び、「液体吸引廃棄用ノズル」が「装着」する「ノズルチップ」は、本願発明の「第１形式のピペット先端部」、及び、「第２形式のピペット先端部」にそれぞれ相当する。
　したがって、引用発明の当該複数の「ノズルチップを載置するチップラック」と、本願発明の「少なくとも、複数の第１形式のピペット先端部と、複数の第２形式のピペット先端部とを収容する複数のチャンバを具備する複数のピペット先端部を保持するラック」とは、「少なくとも、複数の第１形式のピペット先端部と、複数の第２形式のピペット先端部とを保持するラック」という点で共通する。
（イ）　上記（１）ア（エ）及び（オ）の図面より、引用発明の「チップラック」には、複数の「サンプリング用ノズル」及び「液体吸引用ノズル」に「装着」する「ノズルチップ」の複数の列が配置されるものであることが明らかであるから、引用発明の当該「ノズルチップ」の複数の列が「チップラック」に配置されることと、本願発明の「１つの列の中に前記第１形式のピペット先端部及び前記第２形式のピペット先端部が交互配置され、当該ラック内に複数の前記列が配置され」ることとは、「前記第１形式のピペット先端部及び前記第２形式のピペット先端部の列が、当該ラック内に複数の列として配置され」る点で共通する。
（ウ）　引用発明１の「ノズルチップ」が、「チップラック」に「載置」されるためには、当該「ノズルチップ」を着座（載置）させるための何らかの着座領域が必要であることは明らかであるから、引用発明１の「チップラック」に「ノズルチップ」を「載置」するための構成と、本願発明の「ピペット先端部を着座させる着座領域が前記各貫通ボア孔の周辺に設けられ」ることとは、「ピペット先端部を着座させる着座領域が設けられ」る点で共通する。
（エ）　したがって、本願発明と引用発明１とは、
（一致点１）
「少なくとも、複数の第１形式のピペット先端部と、複数の第２形式のピペット先端部とを保持するラックであって、
　前記第１形式のピペット先端部及び前記第２形式のピペット先端部の列が、当該ラック内に複数の列として配置され、
　ピペット先端部を着座させる着座領域が設けられる、
　ラック。」
　の点で一致し、以下の点で相違する。
（相違点１）
　「複数の第１形式のピペット先端部」及び「複数の第２形式のピペット先端部」を「保持」することについて、本願発明は、「ピペット先端部を収容する複数のチャンバ」を有し、当該「複数のチャンバ」は、「個々のピペット先端部が個別にチャンバに収容されるように独立」したものであるのに対して、引用発明１は、そのような構成を有するものか不明である点。
（相違点２）
　「第１形式のピペット先端部」と「第２形式のピペット先端部」の「形式」について、本願発明は、「前記第２形式のピペット先端部が、前記第１形式のピペット先端部よりも短寸であり且つ第１形式のピペット先端部により分注されるよりも少量の液体を分注するために用いられる」ものであるのに対して、引用発明１は、そのような構成を有するものか不明である点。
（相違点３）
　「第１形式のピペット先端部」及び「第２形式のピペット先端部」の配置関係について、本願発明は、「１つの列の中に前記第１形式のピペット先端部及び前記第２形式のピペット先端部が交互配置され、当該ラック内に複数の前記列が配置され」ているのに対して、引用発明１は、そのような構成を有しない点。
（相違点４）
　本願発明は、「前記第１形式の複数のピペット先端部の夫々に対する貫通ボア孔及び前記第２形式の複数のピペット先端部の夫々に対する貫通ボア孔を具備し、該貫通ボア孔が前記チャンバと連通し」ているのに対して、引用発明１は、そのような構成を有するものか不明である点。
（相違点５）
　「着座領域」について、本願発明は、「ピペット先端部を着座させる着座領域が前記各貫通ボア孔の周辺に設けられ、前記第２形式のピペット先端部を着座させる前記着座領域は、前記第１形式のピペット先端部を着座させる前記着座領域と比較して高位とされる」ものであるのに対して、引用発明１は、そのような構成を有しない点。
イ　判断
　上記（相違点５）について検討する。
　引用文献２には、上記（１）エで示したとおり、「ノズルチップを自動的に装着して分注を行う自動分注装置に関するチップラックであって、大サイズのノズルチップ１００用の収容孔と小サイズのノズルチップ用の収容孔を有しており、これら大小の収容孔は、決まった配列関係で設けられている、チップラック」が記載されており、引用文献３には、上記（１）カで示したとおり、「ピペットチップボックスであって、容器12と蓋部材14のようなチップ支持部材で構成され、容器12の下側の3分の2には、内側壁21及び22との間に延び、底部18と接合され、キャビティ24の下部を、異なる大きさであってもよいように2つに分割する、中心垂直分離手段32が設けられており、これらの2つの部分は、それぞれ、中心分離手段32と側壁23及び20との間に延在し、底部18に合流する垂直分離手段33、34、35で分割されており、分離手段32、33、34、35は、キャビティ24の下部を別個の区画36、37、38、39、40に分割するものであり、区画は、それらの側部及び底部に沿って密封することによりリザーバ36、37、38、39、40が形成されるようになっており、蓋部材14は、孔80、81、82、83及び84のような開口を画定する上部部材50を含み、孔は、チップボックス10内でチップの要部を係止するものであり、孔80及び81とそれに対応する区画リザーバの組み合わせ75-36と76-37は、5mlチップのようなより大きなチップを収容するために寸法決めされており、一方、孔82、83及び84とその区画リザーバの組み合わせ77-38、78-39及び79-40は、1mlチップのようなより小さいチップを収容するために寸法決めされている、ピペットチップボックス」が記載されており、また、周知文献８（第７頁第２行〜第１１行、図１〜図２）には、大小異なる径の孔を交互配置したラックが開示されているのみである。
　しかしながら、上記いずれの文献にも、「ピペット先端部を着座させる着座領域が各貫通ボア孔の周辺に設けられ、第２形式のピペット先端部を着座させる前記着座領域は、前記第１形式のピペット先端部を着座させる前記着座領域と比較して高位とされる」ことは記載されておらず、引用発明１において、上記引用文献２〜３及び周知文献８に記載の技術を採用しても、上記（相違点５）の構成とはならない。
　また、引用発明１において、上記（相違点５）の構成を採用することは、単なる設計的事項ともいえない。
　したがって、上記（相違点５）に係る本願発明の発明特定事項のように構成することは、引用発明１及び引用文献２〜３、周知文献８に記載の技術より、当業者が容易に想到し得たこととはいえない。
ウ　小括
　よって、本願発明は、その余の相違点について検討するまでもなく、当業者が引用発明１及び引用文献２〜３、周知文献８に記載の技術に基づいて容易に発明をすることができたとはいえない。
（３）本願発明と引用発明２との対比・判断
ア　対比
　本願発明と引用発明２とを対比する。
（ア）　引用発明２の「大サイズのノズルチップ」、「小サイズのノズルチップ」、「収容孔」は、本願発明の「第１形式のピペット先端部」、「第２形式のピペット先端部」、「チャンバ」に相当する。
　また、上記（１）ウ（ウ）の図面より、引用発明２の「チップラック」が、複数の「大サイズのノズルチップ」及び「小サイズのノズルチップ」を収容するものであり、小サイズのノズルチップは大サイズのノズルチップよりも短寸で、少量の液体を分注するためのものであることが明らかである。
　したがって、引用発明２の「大サイズのノズルチップ」及び「小サイズのノズルチップ」を収容する「収容孔」を設けた当該「チップラック」は、本願発明の「少なくとも、複数の第１形式のピペット先端部と、複数の第２形式のピペット先端部とを収容する複数のチャンバを具備する複数のピペット先端部を保持するラックであって、前記第２形式のピペット先端部が、前記第１形式のピペット先端部よりも短寸であり且つ第１形式のピペット先端部により分注されるよりも少量の液体を分注するために用いられるラック」に相当する。
（イ）　上記（１）ウ（ウ）の図面より、引用発明２の「チップラック」における個々の「ノズルチップ」を収容する「収容孔」は、個別の独立したものであることが明らかである。
　そして、引用発明２の「大小の収容孔」は「決まった配列関係で設けられている」ものであるから、引用発明２の当該「チップラック」における「収容孔」の配置構成と、本願発明の「前記チャンバは、個々のピペット先端部が個別のチャンバに収容されるように独立し、１つの列の中に前記第１形式のピペット先端部及び前記第２形式のピペット先端部が交互配置され、当該ラック内に複数の前記列が配置され」ることとは、「前記チャンバは、個々のピペット先端部が個別のチャンバに収容されるように独立し、決まった配列関係で配置されて」いる点で共通する。
（ウ）　上記（１）ウ（ウ）の図面より、「ノズルチップ」のそれぞれが、「チップラック」の「収容孔」に収容されるためには、当該「ノズルチップ」を着座させるための何らかの着座領域が必要であることは明らかであるから、引用発明２の「チップラック」の「収容孔」に「ノズルチップ」を収容するための構成と、本願発明の「ピペット先端部を着座させる着座領域が前記各貫通ボア孔の周辺に設けられ」ることとは、「ピペット先端部を着座させる着座領域が設けられ」る点で共通する。
（エ）　したがって、本願発明と引用文献２とは、
（一致点２）
　「少なくとも、複数の第１形式のピペット先端部と、複数の第２形式のピペット先端部とを収容する複数のチャンバを具備する複数のピペット先端部を保持するラックであって、前記第２形式のピペット先端部が、前記第１形式のピペット先端部よりも短寸であり且つ第１形式のピペット先端部により分注されるよりも少量の液体を分注するために用いられるラックにおいて、
　前記チャンバは、個々のピペット先端部が個別のチャンバに収容されるように独立し、決まった配列関係で配置されており、
　ピペット先端部を着座させる着座領域が設けられる、
　ラック。」
　の点で一致し、以下の点で相違する。
（相違点６）
　「ピペット先端部」の「配置」について、本願発明は、「１つの列の中に前記第１形式のピペット先端部及び前記第２形式のピペット先端部が交互配置され、当該ラック内に複数の前記列が配置され」ているのに対して、引用発明２は、そのような構成を有しない点。
（相違点７）
　本願発明は、「前記第１形式の複数のピペット先端部の夫々に対する貫通ボア孔及び前記第２形式の複数のピペット先端部の夫々に対する貫通ボア孔を具備し、該貫通ボア孔が前記チャンバと連通し」ているのに対して、引用発明２は、そのような構成を有するものかどうか不明である点。
（相違点８）
　「着座領域」について、本願発明は、「ピペット先端部を着座させる着座領域が前記各貫通ボア孔の周辺に設けられ、前記第２形式のピペット先端部を着座させる前記着座領域は、前記第１形式のピペット先端部を着座させる前記着座領域と比較して高位とされる」ものであるのに対して、引用発明２は、そのような構成を有しない点。
イ　判断
　上記（相違点８）について検討する。
　引用文献１には、上記（１）イで示したとおり、「チップラックであって、サンプリング用及び液体吸引廃棄用ノズルが合計２列に並んでいるアームヘッドを用い、異なる寸法・形状のディスポーザブルチップを配置する場合、チップラックの形状・寸法を勘案し、各ノズルが反応容器やチップラックと干渉しないように寸法・形状を決定することが重要であるものであり、右側のサンプリング用ノズル２を用いる場合は、チップラックに載置されたノズルチップを左側から順次装着することで、目的列のノズルチップをサンプリング用ノズル２に装着し、左側の液体吸引廃棄用ノズル１を用いて液体の吸引廃棄を行う場合は、チップラックの向かって右端からノズルチップを順次装着することで、目的列のノズルチップを液体吸引廃棄用ノズル１に装着するように構成された、チップラック」が記載されている。
　また、引用文献３には、上記（１）カで示したとおりのものが記載されており、周知文献８には、上記（２）イでしたとおりのものが記載されている。
　しかしながら、上記いずれの文献にも、「ピペット先端部を着座させる着座領域が各貫通ボア孔の周辺に設けられ、第２形式のピペット先端部を着座させる前記着座領域は、前記第１形式のピペット先端部を着座させる前記着座領域と比較して高位とされる」ことは記載されておらず、引用発明２において、上記引用文献１、３及び周知文献８に記載の技術を採用しても、上記（相違点８）の構成とはならない。
　また、引用発明２において、上記（相違点８）の構成を採用することは、単なる設計的事項ともいえない。
　したがって、上記（相違点８）に係る本願発明の発明特定事項のように構成することは、引用発明２及び引用文献１、３、周知文献８に記載の技術より、当業者が容易に想到し得たこととはいえない。
ウ　小括
　よって、本願発明は、その余の相違点について検討するまでもなく、当業者が引用発明２及び引用文献１、３、周知文献８に記載の技術に基づいて容易に発明をすることができたとはいえない。
（４）本願発明と引用発明３との対比・判断
ア　対比
　本願発明と引用発明３とを対比する。
（ア）　引用発明３の「5mlチップのようなより大きなチップ」、「1mlチップのようなより小さいチップ」は、本願発明の「第１形式のピペット先端部」及び「第２形式のピペット先端部」にそれぞれ相当する。
　また、引用発明３の「分離手段」で「分割」された「リザーバ36、37、38、39、40」は、各「チップ」を「収容」するものであるから、本願発明の「複数のチャンバ」に相当する。
　したがって、引用発明３の当該「リザーバ36、37、38、39、40」に「5mlチップのようなより大きなチップ」及び「1mlチップのようなより小さいチップ」を「収容」した「ピペットチップボックス」と、本願発明の「少なくとも、複数の第１形式のピペット先端部と、複数の第２形式のピペット先端部とを収容する複数のチャンバを具備する複数のピペット先端部を保持するラックであって、前記第２形式のピペット先端部が、前記第１形式のピペット先端部よりも短寸であり且つ第１形式のピペット先端部により分注されるよりも少量の液体を分注するために用いられるラック」とは、「少なくとも、複数の第１形式のピペット先端部と、複数の第２形式のピペット先端部とを収容する複数のチャンバを具備する複数のピペット先端部を保持するラックであって、前記第２形式のピペット先端部が、第１形式のピペット先端部により分注されるよりも少量の液体を分注するために用いられるラック」という点で共通する。
（イ）　引用発明３の「リザーバ36、37、38、39、40」は、それぞれが「分離手段」で分離されたものであり、また、上記（１）オ（オ）〜（キ）の図面より、複数の「大きなチップ」及び複数の「小さなチップ」を「収容」する「リザーバ」が、それぞれ列（リザーバ36、37の列と、リザーバ38、39、40の列）をなして配置されていることが明らかである。
　したがって、引用発明３の「ピペットチップボックス」における当該「リザーバ」及び各「チップ」の配置関係と、本願発明の「前記チャンバは、個々のピペット先端部が個別のチャンバに収容されるように独立し、１つの列の中に前記第１形式のピペット先端部及び前記第２形式のピペット先端部が交互配置され、当該ラック内に複数の前記列が配置され」ることとは、「前記チャンバは、個々のピペット先端部が個別のチャンバに収容されるように独立し、当該ラック内に複数のチャンバの列が配置され」ている点で共通する。
（ウ）　引用発明３の「孔」は、本願発明の「貫通ボア孔」に相当する。
　そして、引用発明３の各「孔」は、「それに対応する区画リザーバの組み合わせ」により、各「チップ」をそれぞれ「収容」するためのものであるから、引用発明３の「孔」と「リザーバ」からなる構成は、本願発明の「前記第１形式の複数のピペット先端部の夫々に対する貫通ボア孔及び前記第２形式の複数のピペット先端部の夫々に対する貫通ボア孔を具備し、該貫通ボア孔が前記チャンバと連通」することに相当する。
（エ）　引用発明３の「蓋部材」は、「孔」を備えた「上部部材」を含むものであり、この「孔」は「チップを収容」し、かつ、「チップの要部を係止するもの」であるから、引用発明３の「チップの要部を係止する」ために設けられる「上部部材」の「孔」の周辺領域が、本願発明の「着座領域」に相当し、引用文献３の「上部部材」の「孔」の周辺に当該周辺領域が設けられることは、本願発明の「ピペット先端部を着座させる着座領域が前記各貫通ボア孔の周辺に設けられ」ることに相当する。
（オ）　したがって、本願発明と引用発明３とは、
（一致点３）
「少なくとも、複数の第１形式のピペット先端部と、複数の第２形式のピペット先端部とを収容する複数のチャンバを具備する複数のピペット先端部を保持するラックであって、前記第２形式のピペット先端部が、第１形式のピペット先端部により分注されるよりも少量の液体を分注するために用いられるラックにおいて、
　前記チャンバは、個々のピペット先端部が個別のチャンバに収容されるように独立し、当該ラック内に複数のチャンバの列が配置され、
　前記第１形式の複数のピペット先端部の夫々に対する貫通ボア孔及び前記第２形式の複数のピペット先端部の夫々に対する貫通ボア孔を具備し、該貫通ボア孔が前記チャンバと連通し、
　ピペット先端部を着座させる着座領域が前記各貫通ボア孔の周辺に設けられる、
　ラック。」
　の点で一致し、以下の点で相違する。
（相違点９）
　「ピペット先端部」の「第１形式」と「第２形式」について、本願発明は、「第２形式のピペット先端部が、第１形式のピペット先端部よりも短寸」であるのに対して、引用発明３は、そのような構成を有するものか不明である点。
（相違点１０）
　「ピペット先端部」の「配置」について、本願発明は、「１つの列の中に前記第１形式のピペット先端部及び前記第２形式のピペット先端部が交互配置され、当該ラック内に複数の前記列が配置され」ているのに対して、引用発明３は、そのような構成を有しない点。
（相違点１１）
　「着座領域」について、本願発明は、「前記第２形式のピペット先端部を着座させる前記着座領域は、前記第１形式のピペット先端部を着座させる前記着座領域と比較して高位とされる」ものであるのに対して、引用発明３は、そのような構成を有しない点。
イ　判断
　上記（相違点１１）について検討する。
　引用文献１には、上記（１）イで示したとおりのものが記載されており、引用文献２には、上記（１）エで示したとおりのものが記載されており、周知文献８には、上記（２）イで示したとおりのものが記載されている。
　しかしながら、上記いずれの文献にも、「第２形式のピペット先端部を着座させる前記着座領域は、前記第１形式のピペット先端部を着座させる前記着座領域と比較して高位とされる」ことは記載されておらず、引用発明３において、上記引用文献１〜２及び周知文献８に記載の技術を採用しても、上記（相違点１１）の構成とはならない。
　また、引用発明３において、上記（相違点１１）の構成を採用することは、単なる設計的事項ともいえない。
　したがって、上記（相違点１１）に係る本願発明の発明特定事項のように構成することは、引用発明３及び引用文献１〜２、周知文献８に記載の技術より、当業者が容易に想到し得たこととはいえない。
ウ　小括
　よって、本願発明は、その余の相違点について検討するまでもなく、当業者が引用発明３及び引用文献１〜２、周知文献８に記載の技術に基づいて容易に発明をすることができたとはいえない。
３　まとめ
　以上のとおりであるから、本願発明は、引用発明１〜３、及び、引用文献１〜３に記載の技術、並びに、周知文献８に記載の技術に基づいて、当業者が容易に発明をすることができたとはいえない。
　また、本願の請求項２〜９に係る発明は、本願発明をさらに限定したものであるから、本願発明と同様に、引用発明１〜３、及び、引用文献１〜３に記載の技術、並びに、周知文献８に記載の技術に基づいて、当業者が容易に発明をすることができたとはいえない。
　よって、原査定の理由によっては、本願を拒絶することはできない。
第４　当審拒絶理由について
１　当審拒絶理由の概要
（１）　本願は、特許請求の範囲の記載が下記の点で、特許法第３６条第６項第２号に規定する要件を満たしていないので、特許を受けることができない。 
　　　　　　　　　　　　　　　　　記
ア　請求項１には、「当該ラック内に各列において交互配置的な複数の列にて格納され」と記載されているが、この記載のみでは、一列の中で第１形式のピペットと第２形式のピペットが交互配置され、交互配置された当該列が複数あることを意図しているのか、それとも、第１形式のピペットのみからなる列と、第２形式のピペットのみからなる列とが、交互に複数配置されることを意図しているのかが、不明確である。
  
イ　請求項１において、「チャンバ」と「貫通ボア孔」との相互関係、及び、それぞれのラック内における配置が何ら特定されていないため、「チャンバ」と「貫通ボア孔」との関連性が不明確であり、その結果、「着座領域」が具体的にどこの部分を指し示すことになるのか、不明確となっている。
ウ　請求項１には、「チャンバが独立し」と記載されているが、当該記載が、個々のピペット先端部がそれぞれ個別のチャンバに収容されていることを意味するのか、第１形式のピペット先端部を収容するチャンバと第２形式のピペット先端部を収容するチャンバが別体であることを意味するのか、チャンバがラックから分離可能であることを意味するのか、不明瞭である。 
  
エ　請求項１に従属する他の請求項も、上記１〜３の記載不備を有することになる。 
（２）　この出願は、発明の詳細な説明の記載について下記の点で、特許法第３６条第４項第１号に規定する要件を満たしていない。 
 　 
 　　　　　　　　　　　　　　　　　記 
　段落【００５４】〜【００５５】、【００５７】、【００６３】〜【００６５】、【００６８】〜【００７０】、【００７６】の図面の番号に多数の誤記が見られる。
２　当審拒絶理由の判断
（１）　上記１（１）の拒絶理由について
　平成２８年９月１日に提出された手続補正書によって、請求項１において、「前記チャンバが独立し」との記載が、「前記チャンバは、個々のピペット先端部が個別のチャンバに収容されるように独立し」と補正され、「前記第１形式のピペット先端部及び第２形式のピペット先端部が、当該ラック内に各列において交互配置的な複数の列にて格納され」との記載が、「１つの列の中に前記第１形式のピペット先端部及び第２形式のピペット先端部が交互に配置され、当該ラック内に複数の前記列が配置され」と補正され、「該貫通ボア孔が前記チャンバと連通」することが特定され、「前記各貫通ボア孔は、ピペット先端部を着座させる着座領域を具備し」との記載が、「ピペット先端部を着座させる着座領域が前記各貫通ボア孔の周辺に設けられ」と補正された。
　したがって、請求項１〜９に係る発明は、明確となった。
（２）　上記１（２）の拒絶理由について、
　平成２８年９月１日に提出された手続補正書によって、段落【００５４】〜【００５５】、【００５７】、【００６３】〜【００６５】、【００６８】〜【００７０】、【００７６】の図面の番号が補正された。
　したがって、この出願の発明の詳細な説明は、当業者が請求項１〜９に係る発明を実施することができる程度に明確かつ十分に記載されたものとなった。
　よって、もはや、当審で通知した拒絶理由によって本願を拒絶することはできない。
第５　むすび
　以上のとおり、原査定の理由及び当審の拒絶理由によっては、本願を拒絶することはできない。
　また、他に本願を拒絶すべき理由を発見しない。
　よって、結論のとおり審決する。